(57)【特許請求の範囲】
【請求項１】
ユーザが選択したチャンネルの放送に係る映像データを受信する放送受信手段と、前記放送受信手段で受信した映像データを蓄積可能な蓄積手段とを有する放送受信装置において、
ユーザが前記放送受信装置から離席することを示す離席情報を受信する受信手段と、
前記受信手段が受信した前記離席情報を保持する保持手段と、
前記受信手段が前記離席情報を受信したことに応じて、ユーザが選択していたチャンネルの映像データを、前記蓄積手段に蓄積させる制御を行う制御手段と、
前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続手段と、
前記接続手段により、前記他の放送受信装置と前記放送受信装置との間でデータ転送可能な接続状態が確立されたことに応じて、前記ユーザが選択していたチャンネルを示す視聴情報、及び前記制御手段により前記蓄積手段に蓄積された映像データを、前記他の放送受信装置に転送する転送手段と、を有することを特徴とする放送受信装置。
【請求項２】
ユーザが選択したチャンネルの放送に係る映像データを受信する放送受信手段をそれぞれ有する第１放送受信装置及び第２放送受信装置から成る放送受信システムにおいて、
前記第１放送受信装置は、
前記第１放送受信装置の前記放送受信手段で受信した映像データを蓄積可能な第１蓄積手段と、
ユーザが前記放送受信装置から離席することを示す離席情報を受信する第１受信手段と、
前記第１受信手段が受信した前記離席情報を保持する保持手段と、
前記第１受信手段が前記離席情報を受信したことに応じて、ユーザが選択していたチャンネルの映像データを、前記第１蓄積手段に蓄積させる制御を行う第１制御手段と、
前記離席情報を受信した放送受信装置を検索するコマンドを、前記第２放送受信装置から受けたことに応じて、前記保持手段が保持する前記離席情報を前記第２放送受信装置に通知し、前記第１放送受信装置と前記第２放送受信装置との間でデータ転送可能な接続状態を確立する第１接続手段と、
前記第１接続手段により、前記第１放送受信装置と前記第２放送受信装置との間でデータ転送可能な接続状態が確立されたことに応じて、前記ユーザが選択していたチャンネルを示す視聴情報、及び前記第１制御手段により前記第１蓄積手段に蓄積された映像データを、前記第２放送受信装置に転送する転送手段とを有し、
前記第２放送受信装置は、
ユーザが前記第２放送受信装置を離席先の放送受信装置として決定したことを示す着席情報を受信する第２受信手段と、
前記第２受信手段が前記着席情報を受信したことに応じて、前記離席情報を保持する放送受信装置を検索するコマンドを前記第１放送受信装置に転送し、前記第１放送受信装置の前記保持手段が保持する前記離席情報を受け取ったことに応じて、前記第１放送受信装置と前記第２放送受信装置との間でデータ転送可能な接続状態を確立する第２接続手段と、
前記第１接続手段及び前記第２接続手段により、前記第１放送受信装置と前記第２放送受信装置との間でデータ転送可能な接続状態が確立されたことに応じて、前記第１放送受信装置の前記転送手段から転送された前記視聴情報及び前記映像データを受信する情報受信手段とを有することを特徴とする放送受信システム。
【請求項３】
前記第２放送受信装置は、前記第２放送受信装置の前記放送受信手段で受信した映像データを蓄積可能な第２蓄積手段と、
前記第２受信手段が前記着席情報を受信したことに応じて、前記転送手段から転送された前記視聴情報に応じた映像データを、前記第２蓄積手段に蓄積する制御を行う第２制御手段とを更に有し、
前記第２制御手段により前記第２蓄積手段で前記映像データの蓄積が開始されたことに応じて、前記第１制御手段は前記第１蓄積手段への映像データの蓄積を終了する制御を行うことを特徴とする請求項２に記載の放送受信システム。
【請求項４】
ユーザが選択したチャンネルの放送に係る映像データを受信する放送受信手段と、前記放送受信手段で受信した映像データを蓄積可能な蓄積手段と、ユーザが放送受信装置から離席することを示す離席情報を受信する受信手段と、前記受信手段が受信した前記離席情報を保持する保持手段とを有する放送受信装置の制御方法において、
前記受信手段が前記離席情報を受信したことに応じて、ユーザが選択していたチャンネルの映像データを、前記蓄積手段に蓄積させる制御を行う制御ステップと、
前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続ステップと、
前記接続ステップにおいて、前記他の放送受信装置と前記放送受信装置との間でデータ転送可能な接続状態が確立されたことに応じて、前記ユーザが選択していたチャンネルを示す視聴情報、及び前記制御ステップにおいて前記蓄積手段に蓄積された映像データを、前記他の放送受信装置に転送する転送ステップと、を有することを特徴とする放送受信装置の制御方法。
【請求項５】
ユーザが選択したチャンネルの放送に係る映像データを受信する放送受信手段をそれぞれ有する第１放送受信装置及び第２放送受信装置から成り、前記第１放送受信装置は前記第１放送受信装置の前記放送受信手段で受信した映像データを蓄積可能な蓄積手段と、ユーザが前記放送受信装置から離席することを示す離席情報を受信する第１受信手段と、前記第１受信手段が受信した前記離席情報を保持する保持手段とを有し、前記第２放送受信装置はユーザが前記第２放送受信装置を離席先の放送受信装置として決定したことを示す着席情報を受信する第２受信手段を有する放送受信システムの放送受信方法において、
前記第１受信手段が前記離席情報を受信したことに応じて、ユーザが選択していたチャンネルの映像データを、前記蓄積手段に蓄積させる制御を行う制御ステップと、
前記第２受信手段が前記着席情報を受信したことに応じて、前記離席情報を保持する放送受信装置を検索するコマンドを、前記第２放送受信装置から前記第１放送受信装置に転送し、前記コマンドを、前記第１放送受信装置が前記第２放送受信装置から受けたことに応じて、前記保持手段が保持する前記離席情報を前記第１放送受信装置から前記第２放送受信装置に通知し、前記第１放送受信装置と前記第２放送受信装置との間でデータ転送可能な接続状態を確立する接続ステップと、
前記接続ステップにおいて、前記第１放送受信装置と前記第２放送受信装置との間でデータ転送可能な接続状態が確立されたことに応じて、前記ユーザが選択していたチャンネルを示す視聴情報、及び前記制御ステップにおいて前記蓄積手段に蓄積された映像データを、前記第１放送受信装置から前記第２放送受信装置に転送する転送ステップと、
前記転送ステップにおいて転送された前記視聴情報及び前記映像データを前記第２放送受信装置が受信する情報受信ステップとを有することを特徴とする放送受信方法。
【発明の詳細な説明】
【技術分野】
【０００１】
本発明は、放送受信装置、放送受信システム、放送受信装置の制御方法及び放送受信方法に関し、特に、ＩＥＥＥ１３９４を使った映像等の表示を行なうものに関する。
【背景技術】
【０００２】
近年、オフィスだけではなく、家庭内のネットワーク化の実現に向け、いろいろな団体が活動を開始している。一例を挙げれば、ＩＥＥＥでは、シリアルデータを高速でかつ長距離に転送する技術（ＩＥＥＥ１３９４．ｂ）の標準化を推進している。また、ＶＥＳＡ（Video_Electronics_Standards_Association）でも、Home_Networking_CommitteeでＩＥＥＥ１３９４．ｂに基づいた通信プロトコルの検討を行なっている。
【０００３】
さらに、１３９４ＴＡ（Trade_Association）では、ＩＥＥＥ１３９４−１９９５規格及びその拡張規格（ＩＥＥＥ１３９４．ａ−２０００規格など）に基づいた通信プロトコルを策定している。
【０００４】
一方、欧米を中心としてディジタルＴＶの実用化が行なわれている。このディジタルＴＶは、映像，音声データ等をディジタルパケット化し、従来のアナログＴＶの放送帯域幅と同様な帯域幅で複数の番組を同時に転送する能力を持つ。また、映像，音声のディジタル化（パケット化）により、そのデータへのアクセスがランダムにできるために、蓄積と再生とを同時に、また容易に編集や転送ができるというメリットがある。例えば、ディジタルパケット化された映像，音声データをハードディスクドライブや半導体メモリのようなランダムにアクセス可能な記憶媒体に直接記録し、その記録されたデータを再生させながら別のデータを別の記憶媒体の位置に記録する制御を行なうことが可能になる。
【０００５】
この上述したメリットを利用して、ディジタルＴＶ内にランダムアクセス可能な記憶媒体が内蔵されていれば、新たな機能を実現できる。例えば、番組を視聴している時に席を外す場合、従来では、離席中の間に放送されたデータは見られなかったが、ランダムアクセス可能な記憶媒体を使えば、離席中のデータを当該記憶媒体に記録しておき、席に戻ってきたときに離席後のデータを記憶媒体から再生し、かつ再生中も連続して記憶媒体に記録し続けられるので、ユーザは放送内容を遅延させた状態でデータを見逃すことなく視聴することができる。この技術の一例としては、下記に記載の特許文献１が挙げられる。
【０００６】
【特許文献１】特開平９−３２２０８５号公報
【発明の開示】
【発明が解決しようとする課題】
【０００７】
しかしながら、上述の特許文献１では、ディジタルＴＶを離席したユーザが再び当該ディジタルＴＶに戻って視聴を行なう場合は離席後の映像等を視聴することが可能であるが、離席後の映像等を視聴するためには必ず離席したディジタルＴＶで視聴しなければならなかった。つまり、ユーザがディジタルＴＶから離席し、離席先の他のディジタルＴＶで離席後の映像等を視聴することはできず、ユーザにおけるＴＶの視聴を快適に行なう上での障害となっていた。
【０００８】
また、複数の視聴者が映像データを蓄積する装置とサーバーの蓄積装置とを同時に利用した場合、ネットワークのバンド幅の問題が生じる。特に、ＩＥＥＥ１３９４ホームネットワークにおいては、１００ｍ以上の転送を行なうと、そのバンド幅が１００Ｍｂｐｓ程度に下がってしまう。そこで、各ディジタルＴＶ内に受信機能及び蓄積機能を設けて、なるべくネットワーク上のデータ転送を減らす蓄積制御方法が必要となる。なお、ＩＥＥＥ１３９４ホームネットワークとは、ＩＥＥＥ１３９４−１９９５規格及びその拡張規格（ＩＥＥＥ１３９４．ａ−２０００規格など）に準拠した機器から構成された家庭内のネットワークのことである。
【０００９】
さらに、ディジタルＴＶには、映像，音声データだけではなく、例えば頻繁に視聴するチャンネルの情報やディジタルＴＶ化で実現する多チャンネルから好みの番組の選択を行なうエージェント機能の情報等の視聴を手助けするような視聴情報は、離席前とは異なるものであるため、ユーザが離席先のディジタルＴＶの操作で戸惑ってしまう。
【００１０】
本発明は、上述の問題点にかんがみてなされたものであり、ユーザがテレビジョン装置から離席し、離席先の他のテレビジョン装置で視聴を行なう場合でも、ユーザが離席先のテレビジョン装置の操作で戸惑うことなく、離席後の映像等を視聴することを可能とする放送受信装置、放送受信システム、放送受信装置の制御方法及び放送受信方法を提供することを目的とする。
【課題を解決するための手段】
【００１１】
本発明の放送受信装置は、ユーザが選択したチャンネルの放送に係る映像データを受信する放送受信手段と、前記放送受信手段で受信した映像データを蓄積可能な蓄積手段とを有する放送受信装置において、ユーザが前記放送受信装置から離席することを示す離席情報を受信する受信手段と、前記受信手段が受信した前記離席情報を保持する保持手段と、前記受信手段が前記離席情報を受信したことに応じて、ユーザが選択していたチャンネルの映像データを、前記蓄積手段に蓄積させる制御を行う制御手段と、前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続手段と、前記接続手段により、前記他の放送受信装置と前記放送受信装置との間でデータ転送可能な接続状態が確立されたことに応じて、前記ユーザが選択していたチャンネルを示す視聴情報、及び前記制御手段により前記蓄積手段に蓄積された映像データを、前記他の放送受信装置に転送する転送手段と、を有することを特徴とする。
【００１２】
本発明の放送受信システムは、ユーザが選択したチャンネルの放送に係る映像データを受信する放送受信手段をそれぞれ有する第１放送受信装置及び第２放送受信装置から成る放送受信システムにおいて、前記第１放送受信装置は、前記第１放送受信装置の前記放送受信手段で受信した映像データを蓄積可能な第１蓄積手段と、ユーザが前記放送受信装置から離席することを示す離席情報を受信する第１受信手段と、前記第１受信手段が受信した前記離席情報を保持する保持手段と、前記第１受信手段が前記離席情報を受信したことに応じて、ユーザが選択していたチャンネルの映像データを、前記第１蓄積手段に蓄積させる制御を行う第１制御手段と、前記離席情報を受信した放送受信装置を検索するコマンドを、前記第２放送受信装置から受けたことに応じて、前記保持手段が保持する前記離席情報を前記第２放送受信装置に通知し、前記第１放送受信装置と前記第２放送受信装置との間でデータ転送可能な接続状態を確立する第１接続手段と、前記第１接続手段により、前記第１放送受信装置と前記第２放送受信装置との間でデータ転送可能な接続状態が確立されたことに応じて、前記ユーザが選択していたチャンネルを示す視聴情報、及び前記第１制御手段により前記第１蓄積手段に蓄積された映像データを、前記第２放送受信装置に転送する転送手段とを有し、前記第２放送受信装置は、ユーザが前記第２放送受信装置を離席先の放送受信装置として決定したことを示す着席情報を受信する第２受信手段と、前記第２受信手段が前記着席情報を受信したことに応じて、前記離席情報を保持する放送受信装置を検索するコマンドを前記第１放送受信装置に転送し、前記第１放送受信装置の前記保持手段が保持する前記離席情報を受け取ったことに応じて、前記第１放送受信装置と前記第２放送受信装置との間でデータ転送可能な接続状態を確立する第２接続手段と、前記第１接続手段及び前記第２接続手段により、前記第１放送受信装置と前記第２放送受信装置との間でデータ転送可能な接続状態が確立されたことに応じて、前記第１放送受信装置の前記転送手段から転送された前記視聴情報及び前記映像データを受信する情報受信手段とを有することを特徴とする。
【００１３】
本発明の放送受信装置の制御方法は、ユーザが選択したチャンネルの放送に係る映像データを受信する放送受信手段と、前記放送受信手段で受信した映像データを蓄積可能な蓄積手段と、ユーザが放送受信装置から離席することを示す離席情報を受信する受信手段と、前記受信手段が受信した前記離席情報を保持する保持手段とを有する放送受信装置の制御方法において、前記受信手段が前記離席情報を受信したことに応じて、ユーザが選択していたチャンネルの映像データを、前記蓄積手段に蓄積させる制御を行う制御ステップと、前記離席情報を保持する放送受信装置を検索するコマンドを、他の放送受信装置から受けたことに応じて、前記保持手段が保持する前記離席情報を前記他の放送受信装置に通知し、前記放送受信装置と前記他の放送受信装置との間でデータ転送可能な接続状態を確立する接続ステップと、前記接続ステップにおいて、前記他の放送受信装置と前記放送受信装置との間でデータ転送可能な接続状態が確立されたことに応じて、前記ユーザが選択していたチャンネルを示す視聴情報、及び前記制御ステップにおいて前記蓄積手段に蓄積された映像データを、前記他の放送受信装置に転送する転送ステップと、を有することを特徴とする。
【００１４】
本発明の放送受信方法は、ユーザが選択したチャンネルの放送に係る映像データを受信する放送受信手段をそれぞれ有する第１放送受信装置及び第２放送受信装置から成り、前記第１放送受信装置は前記第１放送受信装置の前記放送受信手段で受信した映像データを蓄積可能な蓄積手段と、ユーザが前記放送受信装置から離席することを示す離席情報を受信する第１受信手段と、前記第１受信手段が受信した前記離席情報を保持する保持手段とを有し、前記第２放送受信装置はユーザが前記第２放送受信装置を離席先の放送受信装置として決定したことを示す着席情報を受信する第２受信手段を有する放送受信システムの放送受信方法において、前記第１受信手段が前記離席情報を受信したことに応じて、ユーザが選択していたチャンネルの映像データを、前記蓄積手段に蓄積させる制御を行う制御ステップと、前記第２受信手段が前記着席情報を受信したことに応じて、前記離席情報を保持する放送受信装置を検索するコマンドを、前記第２放送受信装置から前記第１放送受信装置に転送し、前記コマンドを、前記第１放送受信装置が前記第２放送受信装置から受けたことに応じて、前記保持手段が保持する前記離席情報を前記第１放送受信装置から前記第２放送受信装置に通知し、前記第１放送受信装置と前記第２放送受信装置との間でデータ転送可能な接続状態を確立する接続ステップと、前記接続ステップにおいて、前記第１放送受信装置と前記第２放送受信装置との間でデータ転送可能な接続状態が確立されたことに応じて、前記ユーザが選択していたチャンネルを示す視聴情報、及び前記制御ステップにおいて前記蓄積手段に蓄積された映像データを、前記第１放送受信装置から前記第２放送受信装置に転送する転送ステップと、前記転送ステップにおいて転送された前記視聴情報及び前記映像データを前記第２放送受信装置が受信する情報受信ステップとを有することを特徴とする。
【発明の効果】
【００１７】
本発明によれば、ユーザがテレビジョン装置から離席し、離席先の他のテレビジョン装置でコンテンツの視聴を行なう場合でも、離席後の遅延による映像等を視聴することできる。また、ユーザが過去に視聴したチャネル情報や前記ユーザの好みの番組を選択するためのチャネル情報を記憶し、これらのチャネル情報をリモコンで制御できるようにしたので、ユーザが離席先のテレビジョン装置の操作で戸惑うことなく視聴を行なうことができる。
【発明を実施するための最良の形態】
【００１８】
図１は、本発明の実施形態におけるネットワークテレビジョンシステムの概略構成図である。
図１に示した本実施形態のネットワークテレビジョンシステムは、ネットワーク上に２つのＡＶ機器（図中番号１、１０１）が接続された例を示している。また、本実施形態のネットワークテレビジョンシステムは、ＩＥＥＥ１３９４−１９９５規格及びその拡張規格（ＩＥＥＥ１３９４．ａ−２０００規格など）を利用したシステムであるが、本発明はこれに限ったものではなく、データ転送スピードをノード間で変更でき、転送時間帯域が保証できるネットワークであれば有効である。また、ＡＶ機器は、３つ以上の複数であってもよい。
【００１９】
−各構成部の説明−
以下、図１に示したネットワークテレビジョンシステムの各構成部の説明を行なう。
本実施形態のネットワークテレビジョンシステムは、ユーザＡが使用していた離席元のデジタルテレビジョン装置１（以下、ディジタルＴＶ１）と、ユーザＡがディジタルＴＶ１を離席して移動した離席先のデジタルテレビジョン装置１０１（以下、ディジタルＴＶ１０１）とを含み構成されている。
【００２０】
チューナ部２は、ディジタル放送を受信するものであり、ディジタル放送の選局、Ａ／Ｄの変換、所望の誤り訂正等を行なう。切り替えスイッチ部３は、チューナ２から出力されるＭＰＥＧ２＿ＴＳ（トランスポートストリーム）と蓄積部５からの出力データを表示部４、蓄積部５または１３９４Ｉ／Ｆ部１０に送るためのものである。１３９４Ｉ／Ｆ部１０は、ＩＥＥＥ１３９４−１９９５規格及びその拡張規格（ＩＥＥＥ１３９４．ａ−２０００規格など）に準拠するものである。ここで、ＭＰＥＧ２＿ＴＳは、複数の映像、音声、データがパケット化（１８８バイト単位）され、かつ多重化されているディジタルデータビットストリームである。
【００２１】
図２は、表示部４の概略構成図である。
図２に示すように、表示部４は、ＭＰＥＧ２＿ＴＳデータを映像、音声データ等に分離するデマルチプレクサ２０１と、ＭＰＥＧビデオデコーダ２０２と、ＭＰＥＧオーディオデコーダ２０５と、オーディオ出力装置２０６と、表示デバイスインタフェース２０３と、表示デバイス２０４とを有して構成されている。
【００２２】
蓄積部５は、ＭＰＥＧ２＿ＴＳデータを一時的に蓄積する部分である。図３に、蓄積部５の概略構成図を示す。
図３に示すように、蓄積部５は、蓄積用の記録デバイスインタフェース３０１と、記録デバイス３０２とを有して構成されている。この蓄積部５は、ＭＰＥＧ２＿ＴＳデータの入出力を独立して同時に行なえる機能を有しており、記録デバイス３０２に書き込みながら、すでに記録されたＭＰＥＧ２＿ＴＳデータを読み出すことができる。また、この記録デバイス３０２は、ハードディスクドライブでも、ＤＶＤでも、半導体メモリでも良い。
【００２３】
メモリ６，メモリ７は、ユーザが過去に視聴した時のチャネル選択情報や、好きなチャンネルを簡単に呼び出すためのチャネルデータ等の上述した視聴情報を格納するためのものである。メモリ６及びメモリ７には、ユーザが選択したリモコン９からのチャネル情報がリモコン受信部８を介して入力され蓄積される。このユーザが選択したリモコン９からのチャネル情報の蓄積は、メモリ６とメモリ７のどちらか一方に対して行なわれるようにスイッチ手段が設けられている。
【００２４】
１３９４Ｉ／Ｆ部１０は、ＭＰＥＧ２＿ＴＳのデータをＩＥＣ６１８８３−１，４で定めたプロトコルにより他のＡＶ機器にパケット化して転送する手段（図４の４０４）を有するとともに、メモリ６，メモリ７の各視聴情報を１３９４ＴＡで策定されたAsynchronous Connectionプロトコル（参考文献：TA Document １９９８０１６, AV/C Compatible Asynchronous Serial Bus Connections）により転送する手段（図４の４０１）を有している。図４に、１３９４Ｉ／Ｆ部１０の概略構成図を示す。
【００２５】
制御部１１は、リモコン受信部８で検出した離席情報や着席情報により、ディジタルＴＶ１内のスイッチ制御を行ない、また、時間や離席元フラグ等のデータ格納及び制御を行なうものである。さらに、制御部１１は、ユーザの離席先である他のディジタルＴＶ１０１を検出するテレビジョン装置検出手段も有する。時計１２は、蓄積部５で蓄積をはじめた時間等を測定するためのものである。
【００２６】
上記では、ディジタルＴＶ１の各構成部の説明を行ったが、ディジタルＴＶ１０１においても同様の構成であり、具体的には、ディジタルＴＶ１における２〜１２の各構成がそれぞれディジタルＴＶ１０１における１０２〜１１２に相当する。
【００２７】
（１）ユーザが離席先未定で離席をした場合
図５は、本実施形態におけるネットワークテレビジョンシステムの第１の制御方法を説明するためのフローチャートである。第１の制御方法では、ユーザが離席先未定で離席をした場合の制御方法について説明する。
図１は、ユーザＡがディジタルＴＶ１でコンテンツを視聴している状態を示している図であり、このユーザＡは、チューナ２で受信するＭＰＥＧ２＿ＴＳデータから所望の映像データ、音声データ等を表示部４により選択し表示させている。このとき、視聴情報はメモリ６に蓄積されている。
【００２８】
まず、ユーザＡが何らかの理由で離席しなければならないときに、ユーザＡがリモコン９を通じてディジタルＴＶ１に離席情報を通知する（ステップＳ５０１）。このとき、ユーザＡの離席情報は、リモコン操作による通知以外に、例えばディジタルＴＶ１に装着されたテレビカメラにより視聴位置の映像を撮影し、ディジタルＴＶ１がユーザＡの映像が消失したことを認識して自動的に離席情報を受信する構成であってもよい。続いて、制御部１１において、リモコン受信部８から離席情報（離席先未定）を受け取ると、図６に示すように切り替えスイッチ部３を蓄積部５側と接続するように動作させ、ユーザＡが視聴していた映像、音声の続きを蓄積部５に記憶する（ステップＳ５０２）。ここで、ＭＰＥＧ２＿ＴＳは、上述のように蓄積部５に記憶されるとともに、別のユーザＢが所望の映像、音声データを選択し、視聴できるよう表示部４に表示する。
【００２９】
また、図６に示すように視聴情報を蓄積するスイッチは、メモリ７の方に切り替えられる。そして、ユーザＢは、新規の視聴情報に基づきチャンネル選択の支援が受けられるようになる。このとき、１３９４Ｉ／Ｆ部１０を介して他のＡＶ機器からユーザＢ用の視聴情報をダウンロードしても良いし、メモリ６に記憶されているユーザＡの視聴情報をメモリ７にコピーして使用しても良い。
【００３０】
続いて、制御部１１において、蓄積部５に蓄積を開始した時刻「ｔａ」を時計１２で計測し、その時刻情報をメモリ６に格納する（ステップＳ５０３）。続いて、制御部１１内において、離席元であることを示すフラグを立てる（ステップＳ５０４）。このフラグおよび時間情報は、１３９４Ｉ／Ｆ部１０を介して入力されるステータスコマンドにより読み出すことができる。
【００３１】
続いて、ユーザＡが離席先を決定し、離席先のディジタルＴＶ１０１のリモコン１０９から着席信号入力があるか否かを判断する（ステップＳ５０５）。この判断は制御部１１１で行われ、この判断の結果、離席先のディジタルＴＶ１０１のリモコン１０９から着席信号入力があると判断された場合には、ステップＳ５０６に進む。一方、ステップＳ５０５この判断の結果、離席先のディジタルＴＶ１０１のリモコン１０９から着席信号入力がないと判断された場合には、着席信号入力があるまで、ステップＳ５０５で待機する。このとき、ユーザＡの着席情報は、リモコン操作による通知以外に、例えばディジタルＴＶ１０１に装着されたテレビカメラにより視聴位置の映像を撮影し、ディジタルＴＶ１０１がユーザＡの映像が撮影されたことを認識して自動的に着席情報を得る構成であってもよい。
【００３２】
続いて、離席先のディジタルＴＶ１０１の制御部１１１において、離席元を探すためにＩＥＥＥ１３９４のAsynchronous転送によって離席元フラグがレスポンスとして返ってくるステータスコマンドをＩＥＥＥ１３９４ネットワーク上のすべてのノードに対して、順次またはブロードキャストで転送する（ステップＳ５０６）。
【００３３】
続いて、制御部１１１において、離席元フラグが見つかったか否かを判断する（ステップＳ５０７）。この判断の結果、離席元フラグが見つかったと判断された場合には、ステップＳ５０８に進む。一方、ステップＳ５０７の判断の結果、離席元フラグが見つからなかったと判断された場合には、ステップＳ５０６に戻る。
【００３４】
続いて、ステータスコマンドに対するレスポンス情報内に離席元フラグが返ってきたノード（ディジタルＴＶ１）に対して、ＩＥＣ６１８８３−１仕様に基づき、Isochronousプラグを結ぶ（ステップＳ５０８）。続いて、離席元フラグを有するノード（ディジタルＴＶ１）に対して、１３９４ＴＡで定められたAsynchronous Connection仕様に基づき、Asynchronousプラグを結ぶ（ステップＳ５０９）。これにより、本実施形態では、ディジタルＴＶ１とディジタルＴＶ１０１間のノードで両方のプラグを結ぶことになる。
【００３５】
続いて、図４に示した１３９４Ｉ／Ｆ部１０内のAsynchronous Connection制御部４０１を用いて、メモリ６の離席元の視聴情報をディジタルＴＶ１０１内のメモリ１０６に転送する（ステップＳ５１０）。
【００３６】
続いて、ディジタルＴＶ１０１では、チューナ１０２からのＭＰＥＧ２＿ＴＳを蓄積部１０５に蓄積し始める（ステップＳ５１１）。続いて、この蓄積開始情報をコントロールコマンドでＩＥＥＥ１３９４を介して、ＩＥＣ６１８８３−１で定められたＦＣＰ（Function_Contorol_Protocol）コマンドフレームに適した形でAsynchronous転送する（ステップＳ５１２）。この場合の動作状態を図７に示す。
【００３７】
続いて、ディジタルＴＶ１では、上述した蓄積開始情報のコントロールコマンドを受け取った時刻「ｔｂ」を制御部１１内に記録する（ステップＳ５１３）。続いて、制御部１１において、時刻「ｔｂ」と時刻「ｔａ」との時間差「ｔｉｎｔ」を算出し、ＩＥＥＥ１３９４を介して、算出した時間差の値「ｔｉｎｔ」を上述したコントロールコマンドのレスポンスとしてディジタルＴＶ１０１に対して、ＦＣＰコマンドフレームに適した形でAsynchronous転送する（ステップＳ５１４）。
【００３８】
続いて、ディジタルＴＶ１０１では、制御部１１１において、ディジタルＴＶ１から転送された時間差「ｔｉｎｔ」と時計１１２の時刻とを加算して、その時刻を「Ｔｅｎｄ」とする（ステップＳ５１５）。ここで、仮に、ステップＳ５１１〜ステップＳ５１５までのプロセスで転送エラー等が生じ、ステップＳ５１１〜ステップＳ５１５の間でｔｌｉｍｉｔ（ｍｓ）以上経過してしまった場合には、再度ステップＳ５１１の処理からやり直す。このｔｌｉｍｉｔは、１３９４Ｉ／Ｆ部（１０，１１０）で可変できる。
【００３９】
続いて、ディジタルＴＶ１では、チューナ２からの蓄積部５への蓄積を中止し、また、ディジタルＴＶ１とディジタルＴＶ１０１との間を結んだIsochronousプラグ（ＩＥＣ６１８８３−１仕様に基づく）を使って、蓄積部５に蓄積されたＭＰＥＧ２＿ＴＳデータを表示部１０４に転送する（ステップＳ５１６）。この転送は、時刻「ｔｅｎｄ」になるまで続けられる。
【００４０】
続いて、時刻「ｔｅｎｄ」になったか否かを判断する（ステップＳ５１７）。この判断の結果、時刻「ｔｅｎｄ」になったと判断された場合には、ステップＳ５１８に進む。一方、ステップＳ５１７の判断の結果、時刻「ｔｅｎｄ」になっていないと判断された場合には、時刻「ｔｅｎｄ」になるまでステップＳ５１９で待機する。
【００４１】
続いて、時刻「ｔｅｎｄ」になった後、蓄積部５からのデータ転送を中止して、蓄積部１０５から、時刻ｔｂ（ディジタルＴＶ１での時刻）以降に蓄積されたＭＰＥＧ２＿ＴＳデータを表示部１０４に転送する（ステップＳ５１８）。このとき、蓄積部１０５に対して行なわれているＭＰＥＧ２＿ＴＳデータの書き込み（蓄積）は、継続させておく。この場合の動作状態を図８に示す。
【００４２】
続いて、ユーザＡがコンテンツの視聴を止めるか否かを判断する（ステップＳ５１９）。この判断の結果、ユーザＡが視聴を止めると判断された場合には、ステップＳ５２０に進む。一方、ステップＳ５１９の判断の結果、ユーザＡが視聴を止めないと判断された場合には、ユーザＡが視聴を止めると判断するまで、ステップＳ５１９で待機する。
【００４３】
続いて、ユーザＡが視聴を止めると判断された場合に、蓄積部１０５への蓄積は中止され、ディジタルＴＶ１とディジタルＴＶ１０１との間で結ばれていたプラグも非接続される（ステップＳ５２０）。
【００４４】
（２）ユーザが離席先未定で離席した場合において離席先に蓄積部がない場合
図９は、本実施形態におけるネットワークテレビジョンシステムの第２の制御方法を説明するためのフローチャートである。第２の制御方法では、ユーザが離席先未定で離席した場合において離席先に蓄積部がない場合の制御方法について説明する。
図１は、ユーザＡがディジタルＴＶ１を使用してＴＶを見ている状態を示している図であり、このユーザＡは、チューナ２で受信するＭＰＥＧ２＿ＴＳデータから所望の映像データ、音声データ等を表示部４により選択し表示させている。このとき、視聴情報はメモリ６に蓄積されている。
【００４５】
まず、ユーザＡが何らかの理由で離席しなければならないときに、ユーザＡがリモコン９を通じてディジタルＴＶ１に離席情報を通知する（ステップＳ９０１）。続いて、制御部１１において、リモコン受信部８から離席情報（離席先未定）を受け取ると、図１０に示すように切り替えスイッチ部３を蓄積部５側と接続するように動作させ、ユーザＡが視聴していた映像、音声の続きを蓄積部５に記憶する（ステップＳ９０２）。ここで、ＭＰＥＧ２＿ＴＳは、上述のように蓄積部５に記憶されるとともに、別のユーザＢが所望の映像、音声データを選択し、視聴できるよう表示部４に表示する。
【００４６】
また、視聴情報を蓄積するスイッチは、メモリ７の方に切り替えられる。そして、ユーザＢは、新規の視聴情報に基づきチャンネル選択の支援が受けられるようになる。このとき、１３９４Ｉ／Ｆ部１０を介して他のＡＶ機器からユーザＢ用の視聴情報をダウンロードしても良いし、メモリ６に記憶されているユーザＡの視聴情報をメモリ７にコピーして使用しても良い。続いて、制御部１１内において、離席元であることを示すフラグを立てる（ステップＳ９０３）。このフラグは、１３９４Ｉ／Ｆ部１０を介して入力されるステータスコマンドにより読み出すことができる。この場合の動作状態を図１０に示す。
【００４７】
続いて、ユーザＡが離席先を決定し、離席先のディジタルＴＶ１０１のリモコン１０９から着席信号入力があるか否かを判断する（ステップＳ９０４）。この判断は制御部１１１で行われ、この判断の結果、離席先のディジタルＴＶ１０１のリモコン１０９から着席信号入力があると判断された場合には、ステップＳ９０５に進む。一方、ステップＳ９０４この判断の結果、離席先のディジタルＴＶ１０１のリモコン１０９から着席信号入力がないと判断された場合には、着席信号入力があるまで、ステップＳ９０４で待機する。
【００４８】
続いて、離席先のディジタルＴＶ１０１の制御部１１１において、離席元を探すためにＩＥＥＥ１３９４のAsynchronous転送によって離席元フラグがレスポンスとして返ってくるステータスコマンドをＩＥＥＥ１３９４ネットワーク上のすべてのノードに対して、順次またはブロードキャストで転送する（ステップＳ９０５）。
【００４９】
続いて、制御部１１１において、離席元フラグが見つかったか否かを判断する（ステップＳ９０６）。この判断の結果、離席元フラグが見つかったと判断された場合には、ステップＳ９０７に進む。一方、ステップＳ９０６の判断の結果、離席元フラグが見つからなかったと判断された場合には、ステップＳ９０５に戻る。
【００５０】
続いて、ステータスコマンドに対するレスポンス情報内に離席元フラグが返ってきたノード（ディジタルＴＶ１）に対して、ＩＥＣ６１８８３−１仕様に基づき、Isochronousプラグを結ぶ（ステップＳ９０７）。続いて、離席元フラグを有するノード（ディジタルＴＶ１）に対して、１３９４ＴＡで定められたAsynchronous Connection仕様に基づき、Asynchronousプラグを結ぶ（ステップＳ９０８）。これにより、本実施形態では、ディジタルＴＶ１とディジタルＴＶ１０１間のノードで両方のプラグを結ぶことになる。
【００５１】
続いて、図４に示した１３９４Ｉ／Ｆ部１０内のAsynchronous Connection制御部４０１を用いて、メモリ６の離席先の視聴情報をディジタルＴＶ１０１内のメモリ１０６に転送する（ステップＳ９０９）。
【００５２】
続いて、ディジタルＴＶ１０１で蓄積部５を制御可能なコマンドを受け付けるか否かが不明の場合には、ディジタルＴＶ１からディジタルＴＶ１０１に対してＩＥＥＥ１３９４を介してSPECIFIC_INQUIRYコマンドを発行し（ステップＳ９１０）、ディジタルＴＶ１０１において蓄積部５を起動させるコントロールコマンドが有効か否かを判断する。本実施形態では、ディジタルＴＶ１０１内に蓄積部が存在しないため、ディジタルＴＶ１はディジタルＴＶ１０１から「NOT_IMPLEMENTED」のレスポンスを受信することになる（ステップＳ９１１）。
【００５３】
続いて、チューナ２からＭＰＥＧ２＿ＴＳデータの蓄積部５への蓄積を継続したまま、ディジタルＴＶ１とディジタルＴＶ１０１との間を結んだIsochronousプラグ（ＩＥＣ６１８８３−１仕様に基づく）を使って、蓄積部５に蓄積されてきたＭＰＥＧ２＿ＴＳデータを順次、表示部１０４に転送する（ステップＳ９１２）。この場合の動作状態を図１１に示す。
【００５４】
続いて、ユーザＡが視聴を止めるか否かを判断する（ステップＳ９１３）。この判断の結果、ユーザＡが視聴を止めると判断された場合には、ステップＳ９１４に進む。一方、ステップＳ９１３の判断の結果、ユーザＡが視聴を止めないと判断された場合には、ユーザＡが視聴を止めると判断するまで、ステップＳ９１３で待機する。
【００５５】
続いて、ユーザＡが視聴を止めると判断された場合に、蓄積部５への蓄積は中止され、ディジタルＴＶ１とディジタルＴＶ１０１との間で結ばれていたプラグも非接続される（ステップＳ９１４）。
【００５６】
（３）ユーザが離席先を確定して離席した場合
図１２は、本実施形態におけるネットワークテレビジョンシステムの第３の制御方法を説明するためのフローチャートである。第３の制御方法では、ユーザが離席先を確定して離席した場合の制御方法について説明する。
【００５７】
図１３は、ユーザＡがディジタルＴＶ１を使用してＴＶを見ている状態を示している図であり、このユーザＡは、チューナ２で受信するＭＰＥＧ２＿ＴＳデータから所望の映像データ、音声データ等を表示部４により選択し表示させている。このとき、視聴情報はメモリ６に蓄積されている。
【００５８】
まず、ユーザＡが何らかの理由で離席しなければならないときに、ユーザＡの離席先があらかじめ分かっているので、ユーザＡがリモコン９を通じて離席先情報（ディジタルＴＶ１０１のノード）をディジタルＴＶ１に通知する（ステップＳ１２０１）。続いて、制御部１１において、リモコン受信部８から離席先情報を受け取ると、図１３に示すように切り替えスイッチ部３をそのままにしておき、チューナ２からの出力を表示部４に入力させ、別のユーザＢが所望の映像、音声データを選択し、視聴できるよう表示部４に表示する（ステップＳ１２０２）。
【００５９】
また、視聴情報を蓄積するスイッチは、メモリ７の方に切り替えられる。そして、ユーザＢは、新規の視聴情報に基づきチャンネル選択の支援が受けられるようになる。このとき、１３９４Ｉ／Ｆ部１０を介して他のＡＶ機器からユーザＢ用の視聴情報をダウンロードしても良いし、メモリ６に記憶されているユーザＡの視聴情報をメモリ７にコピーして使用しても良い。
【００６０】
続いて、図４に示した１３９４Ｉ／Ｆ部１０内のAsynchronous Connection制御部４０１を用いて、メモリ６の離席先の視聴情報とユーザＡが視聴していたチャンネル情報をディジタルＴＶ１０１内のメモリ１０６に転送する（ステップＳ１２０３）。
【００６１】
一方、ユーザＡが視聴していた視聴内容の続きは、離席先があらかじめ分かっているので、離席先の蓄積部１０５を使用する。一般に、ＩＥＥＥ１３９４でデータを転送する場合、その転送距離が長いほど、転送スピードが遅くなる。また、ＩＥＥＥ１３９４ネットワーク上のデータ転送量には上限があるため、転送量は少ない方が望ましい。
【００６２】
続いて、ディジタルＴＶ１は、ディジタルＴＶ１０１の蓄積部１０５を起動させるために、ＩＥＥＥ１３９４を介してディジタルＴＶ１０１にコントロールコマンドを発行する（ステップＳ１２０４）。このコントロールコマンドは、ＩＥＣ６１８８３−１で規定されるＦＣＰのコマンドフレームに準拠している。
【００６３】
続いて、ディジタルＴＶ１０１で蓄積部５を制御可能なコマンドを受け付けるか否かが不明の場合には、ディジタルＴＶ１からディジタルＴＶ１０１に対してＩＥＥＥ１３９４を介してSPECIFIC_INQUIRYコマンドを発行し、ディジタルＴＶ１０１において蓄積部５を起動させるコントロールコマンドが有効か否かを判断する（ステップＳ１２０５）。この判断の結果、ディジタルＴＶ１０１から「IMPLEMENTED」のレスポンスを受信し、コントロールコマンドが有効であると判断された場合には、ステップＳ１２０６に進む。一方、ステップＳ１２０５の判断の結果、ディジタルＴＶ１０１から「NOT_IMPLEMENTED」のレスポンスを受信し、コントロールコマンドが有効でないと判断された場合には、図９のステップＳ９１１の処理に進む。
【００６４】
ディジタルＴＶ１０１から「IMPLEMENTED」のレスポンスを受信し、コントロールコマンドが有効であると判断された場合には、続いて、ディジタルＴＶ１からＭＰＥＧ２＿ＴＳをディジタルＴＶ１０１のチューナ１０２に送信し、ユーザＡが視聴していた続きの映像、音声データを蓄積部１０５に書き込ませる（ステップＳ１２０６）。この場合の動作状態を図１４に示す。
【００６５】
続いて、ユーザＡが離席先に着いたことを通知するために、リモコン１０９を使用してディジタルＴＶ１０１に着席信号を送信する（ステップＳ１２０７）。続いて、蓄積部１０５に蓄積されていたＭＰＥＧ２＿ＴＳデータを表示部１０４に転送する（ステップＳ１２０８）。このとき、蓄積部１０５に対して行なわれているＭＰＥＧ２＿ＴＳデータの書き込み（蓄積）は、継続させておく。この場合の動作状態を図１５に示す。
【００６６】
続いて、ユーザＡが視聴を止めるか否かを判断する（ステップＳ１２０９）。この判断の結果、ユーザＡが視聴を止めると判断された場合には、ステップＳ１２１０に進む。一方、ステップＳ１２０９の判断の結果、ユーザＡが視聴を止めないと判断された場合には、ユーザＡが視聴を止めると判断するまで、ステップＳ１２０９で待機する。
【００６７】
続いて、ユーザＡが視聴を止めると判断された場合に、蓄積部１０５への蓄積は中止され、ディジタルＴＶ１とディジタルＴＶ１０１との間で結ばれていたプラグも非接続される。
【００６８】
前述した実施形態によるネットワークテレビジョンシステムを構成する各手段、並びにネットワークテレビジョンシステムの制御方法の各ステップ（図５のステップＳ５０１〜ステップＳ５２０、図９のステップＳ９０１〜ステップＳ９１４、図１２のステップＳ１２０１〜ステップＳ１２１０）は、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００６９】
具体的に、前記プログラムは、例えばＣＤ−ＲＯＭのような記憶媒体に記録し、或いは各種伝送媒体を介してコンピュータに提供される。前記プログラムを記録する記憶媒体としては、ＣＤ−ＲＯＭ以外にフレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００７０】
また、コンピュータが供給されたプログラムを実行することにより前述の実施形態の機能が実現されるだけでなく、そのプログラムがコンピュータにおいて稼働しているＯＳ（オペレーティングシステム）或いは他のアプリケーションソフト等と共同して前述の実施形態の機能が実現される場合や、供給されたプログラムの処理の全て或いは一部がコンピュータの機能拡張ボードや機能拡張ユニットにより行われて前述の実施形態の機能が実現される場合も、かかるプログラムは本発明に含まれる。
【図面の簡単な説明】
【００７１】
【図１】本発明の実施形態におけるネットワークテレビジョンシステムの概略構成図である。
【図２】表示部の概略構成図である。
【図３】蓄積部の概略構成図である。
【図４】１３９４Ｉ／Ｆ部の概略構成図である。
【図５】本実施形態におけるネットワークテレビジョンシステムの第１の制御方法を説明するためのフローチャートである。
【図６】第１の制御方法におけるネットワークテレビジョンシステムの動作を説明する概略構成図である。
【図７】第１の制御方法におけるネットワークテレビジョンシステムの動作を説明する概略構成図である。
【図８】第１の制御方法におけるネットワークテレビジョンシステムの動作を説明する概略構成図である。
【図９】本実施形態におけるネットワークテレビジョンシステムの第２の制御方法を説明するためのフローチャートである。
【図１０】第２の制御方法におけるネットワークテレビジョンシステムの動作を説明する概略構成図である。
【図１１】第２の制御方法におけるネットワークテレビジョンシステムの動作を説明する概略構成図である。
【図１２】本実施形態におけるネットワークテレビジョンシステムの第３の制御方法を説明するためのフローチャートである。
【図１３】第３の制御方法におけるネットワークテレビジョンシステムの動作を説明する概略構成図である。
【図１４】第３の制御方法におけるネットワークテレビジョンシステムの動作を説明する概略構成図である。
【図１５】第３の制御方法におけるネットワークテレビジョンシステムの動作を説明する概略構成図である。
【符号の説明】
【００７２】
１  離席元のデジタルテレビジョン装置
１０１  離席先のデジタルテレビジョン装置
２、１０２  チューナ部
３、１０３  切り替えスイッチ
４、１０４  表示部
５、１０５  蓄積部
６、１０６  メモリ
７、１０７  メモリ
８、１０８  リモコン受信部
９、１０９  リモコン
１０、１１０  １３９４Ｉ／Ｆ部
１１、１１１  制御部
１２、１１２  時計
【図１】
0004551724.tif 000002
【図２】
0004551724.tif 000003
【図３】
0004551724.tif 000004
【図４】
0004551724.tif 000005
【図５】
0004551724.tif 000006
【図６】
0004551724.tif 000007
【図７】
0004551724.tif 000008
【図８】
0004551724.tif 000009
【図９】
0004551724.tif 000010
【図１０】
0004551724.tif 000011
【図１１】
0004551724.tif 000012
【図１２】
0004551724.tif 000013
【図１３】
0004551724.tif 000014
【図１４】
0004551724.tif 000015
【図１５】
0004551724.tif 000016